(57)【特許請求の範囲】
【請求項１】
立設された棒状の支持対象を一対の支線により前記支持対象の軸線の両側から支持する支持構造に用いられる支持治具であって、
一端が一方の支線の端部に固定され、他端が前記支持対象に固定された第１の弾性部材と、
一端が他方の支線の端部に固定され、他端が前記支持対象に固定された第２の弾性部材と、
一端が前記一方の支線の端部に固定され、他端が前記他方の支線の端部に固定された第３の弾性部材と
を備えることを特徴とする支持治具。
【発明の詳細な説明】
【技術分野】
【０００１】
本発明は、地面に立設された棒を支持する支持治具に関するものである。
【背景技術】
【０００２】
例えば旗台など、棒状の部材（以下、「支持対象」とも言う。）を地面からほぼ垂直に立てることがある。このとき、自然界では風などにより不平衡の力が支持対象にかかるため、その力が大きくなると支持対象が倒れてしまう可能性がある。これを防止するため、支持対象に対して、その軸線の両側に棒やケーブル（以下、「支線」とも言う。）を連結し、この支線を引っ張ることにより、支持対象を支持することが行われている（非特許文献１）。
【先行技術文献】
【非特許文献】
【０００３】
【非特許文献１】ステイ、建築情報.net、インターネット、<http://www.kentikulink.net/architectjiten/ag20/ag20_2072.html>
【発明の概要】
【発明が解決しようとする課題】
【０００４】
しかしながら、上述したように支持対象の両側に連結された支線を引っ張ることにより支持対象を支持する場合、棒やケーブルの劣化、これらの敷設状況の変化など、何らかの理由によって複数の支線にかかる力に差が生じると、支持対象には一方向に引っ張られる力が働くため、支持対象が倒れることがあった。また、そのような力が繰り返し長期間に渡ってかかると、金属疲労やコンクリートの亀裂発生により支持対象が劣化することがあった。
【０００５】
そこで、本発明は、支持対象の倒壊や劣化を防ぐことができる支持治具を提供することを目的とする。
【課題を解決するための手段】
【０００６】
上述したような課題を解決するために、本発明に係る支持治具は、立設された棒状の支持対象を一対の支線により前記支持対象の軸線の両側から支持する支持構造に用いられる支持治具であって、一端が一方の支線の端部に固定され、他端が前記支持対象に固定された第１の弾性部材と、一端が他方の支線の端部に固定され、他端が前記支持対象に固定された第２の弾性部材と、一端が前記一方の支線の端部に固定され、他端が前記他方の支線の端部に固定された第３の弾性部材とを備えることを特徴とするものである。
【発明の効果】
【０００７】
本発明によれば、第１〜第３の弾性部材が弾性変形することにより支持対象にかかる力が軽減されるので、支持対象の倒壊や劣化を防ぐことができる。
【図面の簡単な説明】
【０００８】
【図１】図１は、本発明に係る支持治具の構成を模式的に示す図である。
【図２】図２は、本発明に係る支持治具による動作を説明するための図である。
【発明を実施するための形態】
【０００９】
以下、図面を参照して、本発明の実施の形態について詳細に説明する。
【００１０】
図１に示すように、本実施の形態に係る支持治具は、地面に立設された支持対象１を支持するものである。この支持対象１は、鉄筋コンクリート構造物、コンクリート構造物、鉄柱など、棒状の部材からなる。
【００１１】
本実施の形態に係る支持治具は、支持対象１から離間した地面に立設された棒状の第１の支柱２と、支持対象１および第１の支柱２から離間した地面に立設された棒状の第２の支柱３と、一端が支持対象１に固定され、他端が第１の支柱２に固定された第１の支線４と、一端が支持対象１に固定され、他端が第２の支柱３に固定された第２の支線５と、一端が第１の支線４に固定され、他端が第２の支線５に固定された第１の弾性部材６および第２の弾性部材７とを備えている。
【００１２】
第１の支柱２および第２の支柱３は、鉄筋コンクリート構造物、コンクリート構造物、鉄柱など、棒状の部材からなる。本実施の形態において、支持対象１と、第１の支柱２および第２の支柱３とは、第１の支柱２、支持対象１、第２の支柱３の順に直線上に立設されている。
【００１３】
第１の支線４は、一端が第１の固定部材４１により支持対象１に固定された第１の支持対象側支線４ａと、一端が第２の固定部材４２により第１の支柱２に固定された第１の支柱側支線４ｂと、第１の支持対象側支線４ａの他端と第２の支柱側支線４ｂの他端とを接続する第１の接続部材４ｃとから構成される。
また、第２の支線５は、一端が第１の固定部材４１により支持対象１に固定された第２の支持対象側支線５ａと、一端が第３の固定部材４３により第２の支柱３に固定された第２の支柱側支線５ｂと、第２の支持対象側支線５ａの他端と第２の支柱側支線５ｂの他端とを接続する第２の接続部材５ｃとから構成される。
【００１４】
ここで、第１の支持対象側支線４ａおよび第２の支持対象側支線５ａは、第１の弾性部材６および第２の弾性部材７の伸縮に対応して伸縮できる弾性体から構成されている。例えば、コイルばねや棒状または線状の金属部材からなる。
第１の支柱側支線４ｂおよび第２の支柱側支線５ｂは、棒状または線状の部材からなる。このような第１の支柱側支線４ｂおよび第２の支柱側支線５ｂは、剛性が高い材料からなることが望ましい。
第１の接続部材４ｃ、第２の接続部材５ｃは、ボルトやナットからなる締結機構や溶接による接合箇所である。
第１〜第３の固定部材４１〜４３は、ボルトやナットからなる締結機構や溶接による接合箇所である。このような第１〜第３の固定部材４１〜４３を設ける位置は、適宜自由に設定することができるが、地面から離間した位置が望ましく、支持対象１の重心よりも上方がより望ましい。
【００１５】
このような第１の支線４および第２の支線５は、地面と離間し、かつ、地面に対して略平行な状態とされている。そして、第１の支線４が第１の支柱２に向かって、第２の支線５が第２の支柱３に向かって引っ張る力を加えることにより、支持対象１が地面に対して垂直な方向に立設するように支持している。
【００１６】
第１の弾性部材６および第２の弾性部材７は、コイルバネ、板ばねなどの弾性体から構成される。ここで、第１の弾性部材６および第２の弾性部材７の弾性係数は、支持対象１の弾性係数の１０倍程度を有することが望ましい。
このような第１の弾性部材６および第２の弾性部材７の一端は、第１の接続部材４ｃに接続されて、第１の支線４に固定されている。また、第１の弾性部材６および第２の弾性部材７の他端は、第２の接続部材５ｃに接続されて、第２の支線５に固定されている。本実施の形態において、第１の弾性部材６および第２の弾性部材７は、第１の支線４および第２の支線５に対して、線対称に配設されている。
【００１７】
次に、図１，図２を参照して、本実施の形態に係る支持治具による支持対象１の支持動作について説明する。
【００１８】
例えば、棒やケーブルの劣化、これらの敷設状況の変化などによって、第１の支線４がが支持対象１を引っ張る力よりも、第２の支線５が支持対象１を引っ張る力の方が強くなったとする。
この状態になると、第２の支柱側支線５ｂが第２の支柱３の方に引っ張られるので、第２の接続部材５ｃを介して第２の支柱側支線５ｂに接続された第２の支持部材側支線５ａも第２の支柱３の方に引っ張られる。このとき、第２の接続部材５ｃに接続されている第１の弾性部材６および第２の弾性部材７も第２の支柱３の方に引っ張られる。すると、第１の弾性部材６および第２の弾性部材７は、弾性変形して伸張するので、第２の支柱側支線５ｂを第２の支柱３の方に引っ張る力を軽減する。これにより、第２の支持対象側支線５ａを第２の支柱３の方に引っ張る力も軽減されるので、支持対象１を第２の支柱３方に引っ張る力も軽減され、結果として、支持対象１の倒壊や劣化を防ぐことができる。
なお、第２の支持対象側支線５ａも弾性変形して伸張するので、これによっても、第２の支柱側支線５ｂを第２の支柱３の方に引っ張る力が軽減される。
【００１９】
以上説明したように、本実施の形態によれば、第１の弾性部材６および第２の弾性部材７が弾性変形することにより支持対象１にかかる力が軽減されるので、支持対象１の倒壊や劣化を防ぐことができる。
【００２０】
なお、本実施の形態では、支持対象１を地面に立設した場合を例に説明したが、支持対象１を立設する場所は地面に限定されず、例えば住宅の床や船体など、適宜自由に設定することができる。
【００２１】
また、本実施の形態では、第１の弾性部材６および第２の弾性部材７という２つの弾性部材を設ける場合を例に説明したが、設ける弾性部材の数量は２つの限定されず、例えば１つまたは３つ以上など適宜自由に設定することができる。特に、本実施の形態のように、第１の支線４や第２の支線５に対して線対称に弾性部材を設けることにより、それらの支線に係る力を均等に軽減することができる。
まだ、第１の弾性部材６および第２の弾性部材７の弾性強度は等しいことが望ましいが、必ずしも等しい必要はなく、支持対象１の弾性強度と同等またはそれ以上であればよい。
【産業上の利用可能性】
【００２２】
本発明は、棒状の部材を立設する各種構造体に適用することができる。
【符号の説明】
【００２３】
１…支持対象、２…第１の支柱、３…第２の支柱、４…第１の支線、４ａ…第１の支持対象側支線、４ｂ…第１の支柱側支線、４ｃ…第１の接続部材、５…第２の支線、５ａ…第２の支持対象側支線、５ｂ…第２の支柱側支線、５ｃ…第２の接続部材、６…第１の弾性部材、７…第２の弾性部材、４１…第１の固定部材、４２…第２の固定部材、４３…第３の固定部材。
【図１】
0005969439.tif 000002
【図２】
0005969439.tif 000003